(57)【特許請求の範囲】
【請求項１】
アングル装着部と、瓦屋根上に位置する前記アングル装着部と連結すると共に、瓦下の屋根板に固着できるようにした屋根取付部とを備えてなる瓦屋根用雪止め金具に於いて、所定のベース板の基部を瓦屋根に対応して折曲した屋根取付部に形成し、ベース板の先部を立ち上げると共に、基部側に折り返して水平板部とし、更に上方に折曲してアングル添え部とし、下方開口のコの字状で、開口端を基方に折曲した副板を、ベース板の折り返し先部内方に位置させて、副板先端面部と、ベース板先端面部とを当接固定し、副板基方板部とベース板のベース部とを積層固定し、ベース板の水平板部と、前記水平板部に対向する福板の載置板部とでアングルの嵌入部を構成すると共に、前記水平板部の添え部側を下方に折曲して突出させ、前記対向面のアングル嵌入間隔を、対向面の一部がアングル厚さより狭くなるようにしてアングル挟持機能を付与してなることを特徴とする瓦屋根用雪止め金具。
【発明の詳細な説明】
【０００１】
【産業上の利用分野】
本発明は、瓦屋根に雪止めアングルを取り付けるための雪止め金具に関するものである。
【０００２】
【従来の技術及び発明が解決しようとする課題】
瓦屋根に装着する雪止め金具は、基本的に、瓦上に載置する雪止めアングル装着と、金属板を屋根瓦の装着形態に対応して折曲した取付部とで構成するか（特許第２９４６０９２号参照）、或いは雪止め板と前記取付部とで構成されている（実用新案登録第２６００６３４号参照）。
【０００３】
前記の瓦屋根用雪止め金具における雪止めアングルの装着手段は、三角形の孔部に挿通し、針金などを使用してアングルの固定を図っている。然し前記手段では金具を屋根に固定した後のアングルの着脱作業が不便である。
【０００４】
また雪止めアングルを使用する他の屋根の金具においては、アングルの一辺を、金具の嵌入間隔に差し入れ挟持する手段か知られている。具体的には、実開平６−８３８３１号公報及び同７−１０１７１号公報に開示されているように、厚板金属板でアングルの嵌入部を形成したアングル装着部を備え、前記嵌入部に、嵌入されたアングルを挟圧するバネ板を付設しているものである。
【０００５】
然し独立部品であるバネ板を使用することは、当然部品の製造工程とその組み込み工程を必要とする分、製造効率の低下は免れない。
【０００６】
そこで本発明は、バネ部品を必要とせずに、アングルの着脱が容易な瓦屋根用雪止め金具を提案したものである。
【０００７】
【課題を解決する手段】
本発明に係る瓦屋根用雪止め金具は、  アングル装着部と、瓦屋根上に位置する前記アングル装着部と連結すると共に、瓦下の屋根板に固着できるようにした屋根取付部とを備えてなる瓦屋根用雪止め金具に於いて、所定のベース板の基部を瓦屋根に対応して折曲した屋根取付部に形成し、ベース板の先部を立ち上げると共に、基部側に折り返して水平板部とし、更に上方に折曲してアングル添え部とし、下方開口のコの字状で、開口端を基方に折曲した副板を、ベース板の折り返し先部内方に位置させて、副板先端面部と、ベース板先端面部とを当接固定し、副板基方板部とベース板のベース部とを積層固定し、ベース板の水平板部と、前記水平板部に対向する福板上板の載置部とでアングルの嵌入部を構成すると共に、前記水平板部の添え部側を下方に折曲して突出させ、前記対向面のアングル嵌入間隔を、対向面の一部がアングル厚さより狭くなるようにしてアングル挟持機能を付与してなることを特徴とするものである。
【０００８】
従ってアングルの一辺を嵌入部に圧入すると、アングルは狭い箇所で挟持されて、金具に装着され、バネ部品の組み込みを必要としない。
【０００９】
また前記金具は、金具形成にベース板と副板を使用し、ベース板の先部を折曲して雪止めアングル装着部となるアングル嵌入部の対向面の一方とし、ベース板基部を瓦屋根に対応して折曲した屋根取付部を形成し、ベース板に固着した副板で嵌入部の他方を形成してなるので、２枚の金属板のプレス加工と、所定箇所の連結固定でアングル挟持機能を備えた金具を製出できる。
【００１０】
また嵌入部の基部側において上方に折曲したアングル添え部と、副板の下方に折曲したアングル添え部（副板の載置部の基部側の下方折曲部分）を形成したものであるから、アングルの垂直板部を上下何れの方向にも安定して装着できる。
【００１１】
【実施の形態】
次に本発明の実施の形態について説明する。
実施形態に示した瓦屋根用雪止め金具は、ベース板ａと、副板ｂとを主部材として形成されるもので、特にベース板ａ及び副板ｂは、細長の金属板で長手方向に適宜なビードを設けて、所定の強度を有するようにしている。
【００１２】
前記の部材ａ，ｂでアングル装着部１を形成し、ベース板ａで屋根取付部２を設けるものである。
【００１３】
装着部１は、所定高さ位置にアングルＡの水平辺を嵌入する嵌入部１１を設けたもので前記嵌入部１１は、部材ａ，ｂで上下の対向面１１ａ，１１ｂを備えさせてなるものである。
【００１４】
即ちベース板ａは、ベース部１２ａの先端を立ち上げで先端板部１３ａとし、その立ち上げ端から基部側に折り返して水平板部（嵌入部対向面）１１ａとし、更に水平板部１１ａの端部から上方に折曲してアングル添え部１４ａとしてなる。
【００１５】
そして副板ｂは、先端板部１３ｂと、載置板部（嵌入部対向面）１１ｂと、載置板部１１ｂの端部から下方に折曲したアングル添え部１４ｂとを備えた下方開口のコの字状にして、更にアングル添え部１４ｂの下端から基方に折曲してベース部１２ｂとしてなる。
【００１６】
前記の折曲形成した各部材ａ，ｂを、水平板部１１ａと載置板部１１ｂとの間隔をアングルＡの厚さと対応させ、先端板部１３ａ，１３ｂを当接して鋲その他の手段で連結固定し、ベース部１２ａ，１２ｂも当接状態で固定連結する。
【００１７】
特に嵌入部１１に挟持時機能を備えさせるために、前記水平板部１１ａのアングル添え部１４ａ側の一部を、載置板部１１ｂ側（下方）に突出させて、アングルＡの嵌入間隔を、アングルＡの水平面部の厚さより狭くなるようにしてなる。
【００１８】
屋根取付部２は、部材Ａのベース部１２ａの基方を折曲して形成したもので、瓦Ｂの屋根峰側断面形状に対応して折曲するもので、ベース部１２ａより低い位置に取付板部２１がくるように段差を設け、取付板部２１に固定用の釘孔２２を設けてなるものである。
【００１９】
而して前記金具は、屋根の瓦葺きに際して、雪止め設置箇所の瓦Ｂ上に装着部１を位置せしめ、当該瓦Ｂの峰側から取付板部２１を屋根下地Ｃ面上に位置させ、釘Ｄで屋根下地Ｃに固定し、固定後峰側の瓦Ｂを葺き、取付部分を被覆する。
【００２０】
瓦Ｂ上に露出した装着部１に、アングルＡを取り付けるもので、取付手段は、図３に例示するとおり、アングルＡの水平板部を嵌入部１１に圧入すると、嵌入間隔を狭くした箇所で、アングルＡの水平板部を強く挟持することになる。更にベース板Ａのアングル添え部１４ａにアングルＡの垂直板部を当接して添わせると、アングルの取付位置が定まるので、隣接する金具に対しても常に一定の正しい状態で取り付けられる。
【００２１】
前記の取付は、瓦が横方で波うっている和瓦の場合で、所謂平瓦の場合には、図５に示すとおり、アングルＡの垂直板部を副板ｂのアングル添え部１４ｂに当接するように取り付けることもできる。
【００２２】
また図５に例示する通り、アングル添え部１４ｂに枢結してアングル添え部１４ａに当接するアングルＡを、前記添え部１４ａとで挟むアングル保持体１５を付設してもよい。但しこの場合には、前記図４で例示した装着手段は採用できない。
【００２３】
本発明は前記実施形態に限定されるものではなく、ベース板をアングル装着部と屋根取付部を別体に形成し、両部を連結して製造するようにしても良いし、またアングル垂直板部を挟持する嵌入部に形成しても良い。
【００２４】
【発明の効果】
以上のように本発明は、アングル装着部を対向する金属板で構成される嵌入部で形成すると共に、前記対向面のアングル嵌入間隔を、対向面の全部又は一部がアングル厚さより狭くなるようにしてアングル挟持機能を付与した瓦屋根用雪止め金具で、バネ部品の組み込みを必要とせずにアングル挟持機能を付与したものであり、その製造を容易にしてなる。
【００２５】
更に前記金具において、特に金具形成にベース板と副板を使用したものであり、２枚の金属板のプレス加工と、所定箇所の連結固定でアングル挟持機能を備えた金具を製出でき、其の製造はより以上効率的になされるものである。
【図面の簡単な説明】
【図１】本発明の実施形態の全体斜視図。
【図２】同屋根への取付状態の説明図。
【図３】同アングル装着状態の説明図（和瓦の場合）。
【図４】同アングル装着状態の説明図（平瓦の場合）。
【図５】同別アングル保持体付加説明図。
【符号の説明】
ａ      ベース板
ｂ      副板
１      アングル装着部
１１    嵌入部
１１ａ    水平板部（対向面）
１１ｂ    載置板部（対向面）
１２ａ，１２ｂ  ベース部
１３ａ，１３ｂ  先端板部
１４ａ，１４ｂ  アングル添え部
１５    アングル保持体
２      屋根取付部
２１    取付板部
２２    釘孔
【図１】
0003764617.tif 000002
【図２】
0003764617.tif 000003
【図３】
0003764617.tif 000004
【図４】
0003764617.tif 000005
【図５】
0003764617.tif 000006